(57)【特許請求の範囲】
【請求項１】
スマートフォンの表面を保護するために備えられ、スマートフォンの表面を露出させるための貫通孔が形成されたスマートフォンケース；
前記スマートフォンケースの貫通孔上に設けられ、伝導性素材から形成される方向ボタン；
前記方向ボタンの下面中心部から下側に伸びる柱状に形成され、前記方向ボタンを前記スマートフォンの表面から離隔させる方向転換支持部；及び
前記方向ボタンまたは前記方向転換支持部を前記スマートフォンケースと連結し、弾性素材のパッド状に形成され、前記方向ボタンが傾いた場合に元の状態に復元させるボタン復元パッド；
を含み、
前記方向ボタンの上面において前後方向、左右方向または対角線方向の一地点が外力によって押圧される場合、前記方向転換支持部を基準に前記方向ボタンが傾いてスマートフォンの表面一地点に方向信号を提供することを特徴とする、スマートフォン用ゲームコントローラー兼用ケース。
【請求項２】
前記ボタン復元パッドは、前記スマートフォンケースの貫通孔と同一の形状を成し、伝導性素材から形成され、末端が前記スマートフォンケースの貫通孔の内側面に沿って連結され、下面が前記スマートフォンの表面に密着し、上面の中心部に前記方向転換支持部の下端が連結され、前記方向転換支持部の傾動を弾性力で支持し、
前記方向転換支持部は絶縁性素材及び弾性素材から形成され、前記ボタン復元パッドの上面において前記方向ボタンの傾動の基準点となり、
前記方向ボタンは前記ボタン復元パッドの上面一地点に接触し、スマートフォンの表面一地点に方向信号が伝達されることを特徴とする、請求項１に記載のスマートフォン用ゲームコントローラー兼用ケース。
【請求項３】
前記ボタン復元パッドは、一端が前記方向ボタンの側面に沿って形成され、他端が前記スマートフォンケースの貫通孔の側面に沿って形成され、前記方向ボタンの傾動を弾性力で支持し、
前記方向転換支持部は絶縁性素材及び剛性素材から形成され、前記方向転換支持部の下端が前記スマートフォンケースの表面に接触して前記方向ボタンの傾動の基準点となり、
前記方向ボタンはスマートフォンの表面一地点に直接接触することを特徴とする、請求項１に記載のスマートフォン用ゲームコントローラー兼用ケース。
【請求項４】
スマートフォンの表面を保護するために備えられ、スマートフォンの表面を露出させるための貫通孔が形成されたスマートフォンケース；
前記スマートフォンケースの貫通孔上で前後方向、左右方向または対角線方向に移動可能に設けられる方向ボタン；
前記方向ボタンの下面中心部から下側に伸びる柱状に形成され、前記方向ボタンをスマートフォンの表面から離隔させる離隔支持部；
前記離隔支持部の下端に連結されてスマートフォンの表面に接触し、前記方向ボタンの移動に連動してスマートフォンの表面上で移動する方向転換パッド；及び
前記方向ボタン、前記離隔支持部または前記方向転換パッドのいずれか一方の側面に備えられ、弾性素材から形成され、前記方向ボタンが移動した場合、前記スマートフォンケースの貫通孔の中心に復元させるボタン復元部；
を含み、
前記方向ボタン、前記離隔支持部及び前記方向転換パッドが伝導性素材から形成され、前記方向ボタンの上面において前後方向、左右方向または対角線方向の一地点に外力によって押圧される場合、前記方向転換パッドが該当の方向に移動してスマートフォンの表面一地点に対する方向信号及び強度信号を提供することを特徴とする、スマートフォン用ゲームコントローラー兼用ケース。
【請求項５】
前記ボタン復元部は、一端が前記方向転換パッドの側面に沿って形成され、他端が前記スマートフォンケースの貫通孔の側面に沿って形成され、前記方向転換パッドの移動を弾性力で支持することを特徴とする、請求項４に記載のスマートフォン用ゲームコントローラー兼用ケース。
【請求項６】
前記ボタン復元部は、一端が前記離隔支持部の側面に沿って形成され、他端が前記スマートフォンケースの貫通孔の側面に沿って形成され、前記方向転換パッドの移動を弾性力で支持することを特徴とする、請求項４に記載のスマートフォン用ゲームコントローラー兼用ケース。
【請求項７】
前記ボタン復元部は、前記離隔支持部と前記方向転換パッドの側面を取り囲むように環状のスプリングまたは輪ゴムのいずれか一つの弾性素材から形成され、前記スマートフォンケースの貫通孔には下方に折り曲げられる固定突起が備えられ、前記スプリングまたは輪ゴムのボタン復元部を前記貫通孔の中央に固定させて前記方向転換パッドの移動を弾性力で支持することを特徴とする、請求項４に記載のスマートフォン用ゲームコントローラー兼用ケース。
【請求項８】
前記方向転換パッドは、方向イメージを表示するスマートフォンの表面を外部に露出させることができるように透明素材から形成されることを特徴とする、請求項４に記載のスマートフォン用ゲームコントローラー兼用ケース。
【請求項９】
前記方向ボタンは、円形、楕円形、多角形または十字形の形状のいずれか一つの形状に形成されることを特徴とする、請求項１または４に記載のスマートフォン用ゲームコントローラー兼用ケース。
【請求項１０】
前記スマートフォンケースは、前面に前記方向ボタンと前記方向ボタンに隣り合って備えられる選択ボタンとが形成され、後面にスマートフォンの画面と同一のサイズに形成されて画面を露出させる画面表示窓が形成され、
普段には前記スマートフォンケースの後面が前記スマートフォンの前側画面に対応するように装着されて使われ、ゲーム時には前記スマートフォンケースの前面が前記スマートフォンの前側画面に対応するように装着されて使われることを特徴とする、請求項１または４に記載のスマートフォン用ゲームコントローラー兼用ケース。
【請求項１１】
前記スマートフォンケースは、前面に前記方向ボタンと前記方向ボタンに隣り合って備えられる選択ボタンとが形成され、前面が回動可能なフリップカバー状に形成されることを特徴とする、請求項１または４に記載のスマートフォン用ゲームコントローラー兼用ケース。
【請求項１２】
前記スマートフォンケースの前面には、ゲーム時にスマートフォンの画面を露出させるためのゲーム表示窓がさらに形成されることを特徴とする、請求項１０または１１に記載のスマートフォン用ゲームコントローラー兼用ケース。
【発明の詳細な説明】
【技術分野】
【０００１】
本発明はスマートフォンケースに係り、より詳しくはゲーム時に物理的ボタンを提供してゲーム操作感を向上させることができるスマートフォン用ゲームコントローラー兼用ケースに関するものである。
【背景技術】
【０００２】
スマートフォンとはタッチスクリーン基盤の携帯電話、カメラ機能、モバイルインターネット、動画再生などの機能を内蔵したモバイル電子機器で、現在全世界的に広く使われている。代表的な製品としてはアメリカのアップル社のアイフォーン、アメリカのインターネット検索エンジン会社であるグーグルで製作したアンドロイドフォンなどがある。
【０００３】
このような器機は指によるタッチスクリーンで作動することが最大の特徴であり、基本的な音声通話に加え、Ｗｉ−Ｆｉを用いてデータ通信を行う。このような特性上、スマートフォンはアプリストアなどからゲームを易しくダウンロードして楽しむことができる。
【０００４】
しかし、ゲームを操作するためには、前面タッチスクリーン上に現れる仮想のボタンを介して入力しなければならないので、早くて正確な入力が難しい問題点とグリップ感がないという問題点がある。
【０００５】
一方、従来のスマートフォンゲームコントローラーは、ブルートゥースを活用した独立的に存在する形態とスマートフォン液晶上に貼り付けるシート形態のコントローラーなど、大別して２種の形態が存在したが、ブルートゥースを活用した形態は別途の電源が必要であるため、コントローラーに電源が提供されなければ使うことができなく、スマートフォンとは別にコントローラーを持っていなければならない不便さが存在する問題点がある。
【０００６】
また、スマートフォン液晶上に貼り付けるシート状のものは電源が不要であるが、ゲームしないで一般的なスマートフォン用に使うときに外観が良くなく、スマートフォンアプリのタッチユーザーインターフェース（ＵＩ、ｕｓｅｒ ｉｎｔｅｒｆａｃｅ）の使用を不便にし、液晶から脱着する場合にも別に保管するとか持っていなければならない不便さが存在する問題点がある。
【０００７】
また、従来のＰＣＢ基板からなっているゲームパッドは、方向ボタンの部分に根本的に対角線信号を処理する部分のボタンがない。すなわち、上下または左右のボタンの中で二つのボタンを同時に押して二つボタンの組合せで対角線方向を処理している。このように、同時に二つのボタンを押して処理するから、二方向の中で一方向のボタンが誤って押された場合には、対角線方向を認識することができなくなってゲーム中に間違いが発生する問題点がある。
【発明の概要】
【発明が解決しようとする課題】
【０００８】
本発明は前記の問題点を改善するためになされたもので、普段はスマートフォンを保護するためのスマートフォンケースとして活用し、ゲームするときには専用コントローラーの機能を提供してスマートフォン用モバイルゲームの操作感を向上させることができるスマートフォン用ゲームコントローラー兼用ケースを提供することにその目的がある。
【０００９】
また、本発明は、ゲーム中の方向ボタン操作の際、対角線方向の信号入力を間違いなしに処理することができ、ひいては対角線方向の場合も多様な角度に微細にコントロールすることができるスマートフォン用ゲームコントローラー兼用ケースを提供することに他の目的がある。
【００１０】
また、本発明は、ゲーム中の方向ボタン操作の際、移動方向に対する移動程度によって方向転換の強度をコントロールすることができるスマートフォン用ゲームコントローラー兼用ケースを提供することにさらに他の目的がある。
【００１１】
本発明が解決しようとする課題は以上に記述した課題に制限されなく、ここで開示しなかった本発明が解決しようとするさらに他の課題は下記の開示から本発明が属する技術分野で通常の知識を持った者に明らかに理解可能であろう。
【課題を解決するための手段】
【００１２】
本発明の一実施例によるスマートフォン用ゲームコントローラー兼用ケースは、スマートフォンの表面を保護するために備えられ、スマートフォンの表面を露出させるための貫通孔が形成されたスマートフォンケース；前記スマートフォンケースの貫通孔上に設けられ、伝導性素材から形成される方向ボタン；前記方向ボタンの下面中心部から下側に伸びる柱状に形成され、前記方向ボタンを前記スマートフォンの表面から離隔させる方向転換支持部；及び前記方向ボタンまたは前記方向転換支持部を前記スマートフォンケースと連結し、弾性素材のパッド状に形成され、前記方向ボタンが傾いた場合に元の状態に復元させるボタン復元パッド；を含み、前記方向ボタンの上面において前後方向、左右方向または対角線方向の一地点が外力によって押圧される場合、前記方向転換支持部を基準に前記方向ボタンが傾いてスマートフォンの表面一地点に方向信号を提供することを特徴とする。
【００１３】
また、本発明の前記ボタン復元パッドは、前記スマートフォンケースの貫通孔と同一の形状を成し、伝導性素材から形成され、末端が前記スマートフォンケースの貫通孔の内側面に沿って連結され、下面が前記スマートフォンの表面に密着し、上面の中心部に前記方向転換支持部の下端が連結され、前記方向転換支持部の傾動を弾性力で支持し、前記方向転換支持部は絶縁性素材及び弾性素材から形成され、前記ボタン復元パッドの上面において前記方向ボタンの傾動の基準点となり、前記方向ボタンは前記ボタン復元パッドの上面一地点に接触し、スマートフォンの表面一地点に方向信号が伝達されることができる。
【００１４】
また、本発明の前記ボタン復元パッドは、一端が前記方向ボタンの側面に沿って形成され、他端が前記スマートフォンケースの貫通孔の側面に沿って形成され、前記方向ボタンの傾動を弾性力で支持し、前記方向転換支持部は絶縁性素材及び剛性素材から形成され、前記方向転換支持部の下端が前記スマートフォンケースの表面に接触して前記方向ボタンの傾動の基準点となり、前記方向ボタンはスマートフォンの表面一地点に直接接触することができる。
【００１５】
本発明の他の実施例によるスマートフォン用ゲームコントローラー兼用ケースは、スマートフォンの表面を保護するために備えられ、スマートフォンの表面を露出させるための貫通孔が形成されたスマートフォンケース；前記スマートフォンケースの貫通孔上で前後方向、左右方向または対角線方向に移動可能に設けられる方向ボタン；前記方向ボタンの下面中心部から下側に伸びる柱状に形成され、前記方向ボタンをスマートフォンの表面から離隔させる離隔支持部；前記離隔支持部の下端に連結されてスマートフォンの表面に接触し、前記方向ボタンの移動に連動してスマートフォンの表面上で移動する方向転換パッド；及び前記方向ボタン、前記離隔支持部または前記方向転換パッドのいずれか一方の側面に備えられ、弾性素材から形成され、前記方向ボタンが移動した場合、前記スマートフォンケースの貫通孔の中心に復元させるボタン復元部；を含み、前記方向ボタン、前記離隔支持部及び前記方向転換パッドが伝導性素材から形成され、前記方向ボタンの上面において前後方向、左右方向または対角線方向の一地点に外力によって押圧される場合、前記方向転換パッドが該当の方向に移動してスマートフォンの表面一地点に対する方向信号及び強度信号を提供することを特徴とする。
【００１６】
また、本発明の前記ボタン復元部は、一端が前記方向転換パッドの側面に沿って形成され、他端が前記スマートフォンケースの貫通孔の側面に沿って形成され、前記方向転換パッドの移動を弾性力で支持することができる。
【００１７】
また、本発明の前記ボタン復元部は、一端が前記離隔支持部の側面に沿って形成され、他端が前記スマートフォンケースの貫通孔の側面に沿って形成され、前記方向転換パッドの移動を弾性力で支持することができる。
【００１８】
また、本発明の前記ボタン復元部は、前記離隔支持部と前記方向転換パッドの側面を取り囲むように環状のスプリングまたは輪ゴムのいずれか一つの弾性素材から形成され、前記スマートフォンケースの貫通孔には下方に折り曲げられる固定突起が備えられ、前記スプリングまたは輪ゴムのボタン復元部を前記貫通孔の中央に固定させて前記方向転換パッドの移動を弾性力で支持することができる。
【００１９】
また、本発明の前記方向転換パッドは、方向イメージを表示するスマートフォンの表面を外部に露出させることができるように透明素材から形成されることができる。
【００２０】
また、本発明の前記方向ボタンは、円形、楕円形、多角形または十字形の形状のいずれか一つの形状に形成されることができる。
【００２１】
また、本発明の前記スマートフォンケースは、前面に前記方向ボタンと前記方向ボタンに隣り合って備えられる選択ボタンとが形成され、後面にスマートフォンの画面と同一のサイズに形成されて画面を露出させる画面表示窓が形成され、普段には前記スマートフォンケースの後面が前記スマートフォンの前側画面に対応するように装着されて使われ、ゲーム時には前記スマートフォンケースの前面が前記スマートフォンの前側画面に対応するように装着されて使われることができる。
【００２２】
また、本発明の前記スマートフォンケースは、前記スマートフォンケースは、前面に前記方向ボタンと前記方向ボタンに隣り合って備えられる選択ボタンとが形成され、前面が回動可能なフリップカバー状に形成されることができる。
【００２３】
また、本発明の前記スマートフォンケースの前面には、ゲーム時にスマートフォンの画面を露出させるためのゲーム表示窓がさらに形成されることができる。
【発明の効果】
【００２４】
前記課題の解決手段によって、本発明のスマートフォン用ゲームコントローラー兼用ケースは、ゲーム時にはゲームパッドとして使うことができ、普段には携帯の簡便なスマートフォンケースとして活用することができる効果がある。
【００２５】
また、本発明のスマートフォン用ゲームコントローラー兼用ケースは、物理的ボタンを備えてスマートフォンケースの表面に対して段差を持つので、スマートフォン用モバイルゲームの操作感を向上させることができる効果がある。
【００２６】
また、本発明のスマートフォン用ゲームコントローラー兼用ケースは、信号を処理する部分がスマートフォンのタッチスクリーンとアプリケーションプログラムからなっている点に着眼し、対角線方向を直接処理することができる効果がある。
【００２７】
すなわち、従来のゲームパッドは、方向キーボタンが上下左右に四つだけ存在し、対角線方向は隣り合う二つのボタンの組合せで処理するが、本発明は、スマートフォンのプログラムで処理するから、前後方向、左右方向及び対角線方向の８方向を自由に処理することができ、ひいては対角線方向も多様な角度に微細にコントロールすることができる効果がある。
【００２８】
また、本発明のスマートフォン用ゲームコントローラー兼用ケースは、ゲーム中の方向ボタン操作の際、移動方向に対する移動程度によって方向転換の強度をコントロールすることができる効果がある。
【図面の簡単な説明】
【００２９】
【図１】本発明の第１実施例によるスマートフォン用ゲームコントローラー兼用ケースを前側から見た斜視図である。
【図２】本発明の第１実施例によるスマートフォン用ゲームコントローラー兼用ケースを後側から見た斜視図である。
【図３】本発明の第１実施例によるスマートフォン用ゲームコントローラー兼用ケースの方向ボタン及び選択ボタンを上側から見た斜視図である。
【図４】本発明の第１実施例によるスマートフォン用ゲームコントローラー兼用ケースの方向ボタン及び選択ボタンを下側から見た斜視図である。
【図５】本発明の第１実施例によるスマートフォン用ゲームコントローラー兼用ケースの方向ボタンを示した断面図である。
【図６】本発明の第１実施例によるスマートフォン用ゲームコントローラー兼用ケースの方向ボタンの動作状態を示した断面図である。
【図７】本発明の第２実施例によるスマートフォン用ゲームコントローラー兼用ケースの方向ボタンを示した断面図である。
【図８】本発明の第２実施例によるスマートフォン用ゲームコントローラー兼用ケースの方向ボタンの動作状態を示した断面図である。
【図９】本発明の第３実施例によるスマートフォン用ゲームコントローラー兼用ケースの方向ボタンを示した斜視図及び平面図である。
【図１０】本発明の第４実施例によるスマートフォン用ゲームコントローラー兼用ケースの方向ボタンを示した断面図である。
【図１１】本発明の第４実施例によるスマートフォン用ゲームコントローラー兼用ケースの方向ボタンの動作状態を示した断面図である。
【図１２】本発明の第５実施例によるスマートフォン用ゲームコントローラー兼用ケースの方向ボタンを示した断面図である。
【図１３】本発明の第５実施例によるスマートフォン用ゲームコントローラー兼用ケースの方向ボタンの動作状態を示した断面図である。
【図１４】本発明の第６実施例によるスマートフォン用ゲームコントローラー兼用ケースの方向ボタンを示した平面図及び断面図である。
【図１５】本発明の第６実施例によるスマートフォン用ゲームコントローラー兼用ケースの方向ボタンの動作状態を示した平面図及び断面図である。
【図１６】本発明の第６実施例によるスマートフォン用ゲームコントローラー兼用ケースの他の方向ボタンを示した平面図及び断面図である。
【図１７】本発明の第６実施例によるスマートフォン用ゲームコントローラー兼用ケースの他の方向ボタンの動作状態を示した平面図及び断面図である。
【図１８】本発明の第７実施例によるスマートフォン用ゲームコントローラー兼用ケースの方向ボタンを示した斜視図及び平面図である。
【図１９】本発明の第８実施例によるスマートフォン用ゲームコントローラー兼用ケースを示した斜視図である。
【図２０】本発明の他の実施例によるスマートフォン用ゲームコントローラー兼用ケースの前側から見た斜視図である。
【図２１】本発明の他の実施例によるスマートフォン用ゲームコントローラー兼用ケースの後側から見た斜視図である。
【発明を実施するための形態】
【００３０】
以上のような本発明の解決しようとする課題、課題の解決手段、発明の効果を含む具体的な事項は以下に開示する実施例及び図面に含まれている。本発明の利点及び特徴、そしてそれらを達成する方法は添付図面に基づいて詳細に説明される実施例から明らかになるであろう。
【００３１】
以下、添付図面に基づいて本発明をより詳細に説明する。
【００３２】
＜第１実施例＞
図１〜図６は本発明の第１実施例によるスマートフォン用ゲームコントローラー兼用ケースを説明する図である。具体的に、図１は本発明の第１実施例によるスマートフォン用ゲームコントローラー兼用ケースの前側から見た斜視図、図２は本発明の第１実施例によるスマートフォン用ゲームコントローラー兼用ケースの後側から見た斜視図、図３は本発明の第１実施例によるスマートフォン用ゲームコントローラー兼用ケースの方向ボタン及び選択ボタンを上側から見た斜視図、図４は本発明の第１実施例によるスマートフォン用ゲームコントローラー兼用ケースの方向ボタン及び選択ボタンを下側から見た斜視図、図５は本発明の第１実施例によるスマートフォン用ゲームコントローラー兼用ケースの方向ボタンを示した断面図、図６は本発明の第１実施例によるスマートフォン用ゲームコントローラー兼用ケースの方向ボタンの動作状態を示した断面図である。
【００３３】
図１〜図６に示したように、本発明の第１実施例によるスマートフォン用ゲームコントローラー兼用ケースは、スマートフォンケース１１０、方向ボタン１２０、方向転換支持部１３０、及びボタン復元パッド１４０を含む。
【００３４】
スマートフォンケース１１０はスマートフォンの表面を保護するために備えられ、スマートフォンの表面を露出させるための貫通孔１１１が形成される。具体的に、図１及び図２を参照すれば、スマートフォンケース１１０は前面に、方向ボタン１２０と、方向ボタン１２０に隣り合って備えられる選択ボタン１５０とが形成される。また、スマートフォンケース１１０の後面には、スマートフォンの画面と同一のサイズに形成され、画面を露出させる画面表示窓１１２が形成される。
【００３５】
このような構成により、普段にはスマートフォンケース１１０の後面がスマートフォンの前側画面に対応するように装着して一般のケースとして使い、ゲーム時にはスマートフォンケース１１０の前面がスマートフォンの前側画面に対応するように装着してゲームパッドとして使うことができる。
【００３６】
また、本発明の第１実施例によるスマートフォンケース１１０の前面には、ゲーム時にスマートフォンの画面を露出させるためのゲーム表示窓１１３がさらに形成できる。すなわち、図１及び図２はスマートフォン自体をゲーム機として使用する場合を示したものである。この場合は、別途のゲーム表示窓１１３がさらに形成される。一方、スマートフォンをＴＶなどのように他のディスプレイ装置に連結してスマートフォンをゲームパッドとして使用する場合は、図２０及び図２１に示した他の実施例のように別途のゲーム表示窓が備えられなくてもかまわない。この場合には、方向ボタン及び選択ボタンのサイズを大きく形成することができるので、操作感がより一層向上する。
【００３７】
方向ボタン１２０はスマートフォンケース１１０の貫通孔１１１上に設けられ、伝導性素材から形成される。具体的に、指で方向ボタン１２０を押せば、方向ボタン１２０はボタン復元パッド１４０の上面一地点に接触し、スマートフォンの表面一地点に方向信号が伝達できる。すなわち、人体の微細電流が伝導性の方向ボタン１２０、及びボタン復元パッド１４０を通じてボタン入力信号として作用し、最終にスマートフォンの表面一地点に方向信号として提供される。
【００３８】
方向転換支持部１３０は方向ボタン１２０の下面の中心部から下側に伸びる柱状に形成され、方向ボタン１２０をスマートフォンの表面から離隔させる。また、方向転換支持部１３０は絶縁性素材及び弾性素材から形成され、ボタン復元パッド１４０の上面において方向ボタン１２０の傾動の基準点となる。弾性素材の構成によって方向転換支持部１３０が曲がることができるので、方向ボタン１２０がより一層滑らかに傾くことができる。
【００３９】
ボタン復元パッド１４０は、方向ボタン１２０または方向転換支持部１３０をスマートフォンケース１１０に連結させ、弾性素材のパッド状に形成され、方向ボタン１２０が傾いた場合に元の状態に復元させる。また、本発明の第１実施例によるボタン復元パッド１４０は、スマートフォンケース１１０の貫通孔と同一の形状を成し、伝導性素材から形成される。また、末端がスマートフォンケース１１０の貫通孔の内側面に沿って連結され、下面がスマートフォンの表面に密着し、上面の中心部に方向転換支持部１３０の下端が連結され、方向転換支持部１３０の傾動を弾性力で支持する。すなわち、図６のように外力が作用して傾く場合、ボタン復元パッド１４０の一側は収縮し、他側は膨脹した状態を成して方向転換支持部１３０と一緒に曲がり、傾いた状態を支持し、方向ボタン１２０のスマートフォンケース１１０からの離脱を防止する。そして、図５のように外力が解除されて正常状態に復帰するために、ボタン復元パッド１４０の一側は弾性力によってまた膨脹し、他側は弾性力によってまた収縮する作用をし、方向転換支持部１３０と一緒に復元される。
【００４０】
さらに、ボタン復元パッド１４０は、方向イメージを表示するスマートフォンの表面を外部に露出させることができるように透明素材から形成できる。すなわち、ゲーム時の方向操作に対する視覚効果を向上させることができる。
【００４１】
このような構成により、本発明の第１実施例によるスマートフォン用ゲームコントローラー兼用ケースは、方向ボタン１２０の上面において前後方向、左右方向または対角線方向の一地点が外力によって押圧される場合、方向転換支持部１３０を基準に方向ボタン１２０が傾いてスマートフォンの表面一地点に方向信号を提供することができる。すなわち、方向転換支持部１３０がスマートフォン上で方向ボタン１２０を支持し、作動方式は、図６のように指でボタンを押す場合、指の微細な電気が方向ボタン１２０とボタン復元パッド１４０を介してスマートフォンの表面タッチパネルに伝達されてゲーム中のキャラクターの方向を処理することになる。この際、指で特定方向を選択して押す場合、方向転換支持部１３０が他の方向に方向ボタン１２０が押されることを防止する機能を果たすことにより、誤って他の方向を選択することになることを根本的に防止することができる。
【００４２】
このように、本発明の第１実施例によるスマートフォン用ゲームコントローラー兼用ケースは、ゲーム時にはゲームパッドとして使うことができ、普段には携帯の簡便なスマートフォンケースとして活用することができ、物理的ボタンを備えてスマートフォンケース表面に対して段差を持つので、スマートフォン用モバイルゲームの操作感を向上させることができる利点がある。
【００４３】
また、本発明の第１実施例によるスマートフォン用ゲームコントローラー兼用ケースは、信号を処理する部分がスマートフォンのタッチスクリーンとアプリケーションプログラムからなっている点に着眼し、対角線方向を直接処理することができる利点がある。
【００４４】
すなわち、従来のゲームパッドは、方向キーボタンが上下左右に四つだけ存在し、対角線方向は隣り合う二つのボタンの組合せで処理するが、本発明の第１実施例においては、スマートフォンのプログラムで処理するから、前後方向、左右方向及び対角線方向の８方向を自由に処理することができ、ひいては対角線方向の場合も多様な角度に微細にコントロールすることができる。
【００４５】
＜第２実施例＞
図７及び図８は本発明の第２実施例によるスマートフォン用ゲームコントローラー兼用ケースを説明する図である。具体的に、図７は本発明の第２実施例によるスマートフォン用ゲームコントローラー兼用ケースの方向ボタンを示した断面図、図８は本発明の第２実施例によるスマートフォン用ゲームコントローラー兼用ケースの方向ボタンの動作状態を示した断面図である。
【００４６】
図７及び図８に示したように、本発明の第２実施例によるスマートフォン用ゲームコントローラー兼用ケースは、スマートフォンケース２１０、方向ボタン２２０、方向転換支持部２３０、及びボタン復元パッド２４０を含む。
【００４７】
ここで、本発明の第２実施例によるスマートフォン用ゲームコントローラー兼用ケースのスマートフォンケース２１０及び方向ボタン２２０は、本発明の第１実施例によるスマートフォン用ゲームコントローラー兼用ケースのスマートフォンケース１１０及び方向ボタン１２０と同一または類似の構造及び動作特性を持つので、これについてのより詳細な説明は図１〜図６に基づく本発明の第１実施例を参照し、以下ではその説明を省略する。
【００４８】
図７及び図８に基づいて方向転換支持部２３０、及びボタン復元パッド２４０の実質的な構造及び動作特性をより詳細に説明すれば次のようである。
【００４９】
本発明の第２実施例によるボタン復元パッド２４０は、一端が方向ボタン２２０の側面に沿って形成され、他端がスマートフォンケース２１０の貫通孔２１１の側面に沿って形成され、方向ボタン２２０の傾動を弾性力で支持する。すなわち、図８のように外力が作用して傾く場合、ボタン復元パッド２４０の一側は収縮し、他側は膨脹した状態を成し、傾いた状態を支持し、方向ボタン２２０のスマトポケース２１０からの離脱を防止する。そして、図７のように外力が解除されて正常状態に復帰するために、ボタン復元パッド２４０の一側は弾性力によってまた膨脹し、他側は弾性力によってまた収縮する作用をする。
【００５０】
また、方向転換支持部２３０は絶縁性素材及び剛性素材から形成され、方向転換支持部２３０の下端がスマートフォンケース２１０の表面に接触して方向ボタン２２０の傾動の基準点となる。ここで、本発明の第２実施例による方向転換支持部２３０は、本発明の第１実施例による方向転換支持部１３０とは異なり、剛性素材から形成して曲がりが発生しないようにすることがより好ましい。
【００５１】
これにより、方向ボタン２２０はスマートフォンの表面一地点に直接接触し、人体の微細電流が伝導性の方向ボタン２２０を通じてボタン入力信号として作用することになり、スマートフォンの表面一地点に直接方向信号として提供される。
【００５２】
一方、本発明の第１実施例と同様に、ボタン復元パッド２４０は、方向イメージを表示するスマートフォンの表面を外部に露出させることができるように透明素材から形成されることにより、方向ボタン２２０操作の際、視覚効果を向上させることができる。
【００５３】
このような構成により、本発明の第２実施例によるスマートフォン用ゲームコントローラー兼用ケースは、方向ボタン２２０の上面において前後方向、左右方向または対角線方向の一地点が外力によって押圧される場合、方向転換支持部２３０を基準に方向ボタン２２０が傾いてスマートフォンの表面一地点に方向信号を提供することができる。すなわち、方向転換支持部２３０がスマートフォン上で方向ボタン２２０を支持し、作動方式は、図８のように指でボタンを押す場合、指の微細な電気が方向ボタン２２０を通じてスマートフォンの表面タッチパネルに伝達され、ゲーム中のキャラクターの方向を処理することになる。この際、指で特定方向を選択して押す場合、他の方向に方向ボタン２２０が押されることを方向転換支持部２３０が防止する機能をするので、誤って他の方向を選択することになることを根本的に防止することができる。
【００５４】
このように、本発明の第２実施例によるスマートフォン用ゲームコントローラー兼用ケースは、ゲーム時にはゲームパッドとして使うことができ、普段には携帯の簡便なスマートフォンケースとして活用することができ、物理的ボタンを備えてスマートフォンケース表面に対して段差を持つので、スマートフォン用モバイルゲームの操作感を向上させることができる利点がある。
【００５５】
また、本発明の第２実施例によるスマートフォン用ゲームコントローラー兼用ケースは、信号を処理する部分がスマートフォンのタッチスクリーンとアプリケーションプログラムからなっている点に着眼し、対角線方向を直接処理することができる利点がある。
【００５６】
すなわち、従来のゲームパッドは、方向キーボタンが上下左右に四つだけ存在し、対角線方向は隣り合う二つのボタンの組合せで処理するが、本発明の第２実施例においてはスマートフォンのプログラムで処理するので、前後方向、左右方向及び対角線方向の８方向を自由に処理することができ、ひいては対角線方向の場合も多様な角度に微細にコントロールすることができる。
【００５７】
＜第３実施例＞
図９は本発明の第３実施例によるスマートフォン用ゲームコントローラー兼用ケースの方向ボタンを示した斜視図及び平面図である。
【００５８】
図９に示したように、本発明においては、円形の方向ボタン１２０、２２０、３２０だけでなく、楕円形、四角形、六角形などの多様な形状の方向ボタンを備えることができ、さらに十字形の方向ボタン３２５を使うこともできる。すなわち、方向ボタンの角部がスマートフォンの表面に直間接的に接触する構造によって方向信号を直ちに伝達するので、方向ボタンの角部が自由にスマートフォンの表面に接することができる構造であれば、どんな形状でもかまわない。
【００５９】
＜第４実施例＞
図１０及び図１１は本発明の第４実施例によるスマートフォン用ゲームコントローラー兼用ケースを説明する図である。具体的に、図１０は本発明の第４実施例によるスマートフォン用ゲームコントローラー兼用ケースの方向ボタンを示した断面図、図１１は本発明の第４実施例によるスマートフォン用ゲームコントローラー兼用ケースの方向ボタンの動作状態を示した断面図である。
【００６０】
図１０及び図１１に示したように、本発明の第４実施例によるスマートフォン用ゲームコントローラー兼用ケースは、スマートフォンケース４１０、方向ボタン４２０、離隔支持部４３０、方向転換パッド４４０、及びボタン復元部４５０を含む。
【００６１】
ここで、本発明の第４実施例によるスマートフォン用ゲームコントローラー兼用ケースのスマートフォンケース４１０は、本発明の第１実施例によるスマートフォン用ゲームコントローラー兼用ケースのスマートフォンケース１１０と同一または類似の構造及び動作特性を持つので、これについてのより詳細な説明は図１〜図６に基づく本発明の第１実施例を参照し、以下ではその説明を省略する。
【００６２】
方向ボタン４２０はスマートフォンケース４１０の貫通孔４１１上で前後方向、左右方向または対角線方向に移動可能に形成され、伝導性素材から形成される。具体的に、指で方向ボタン４２０を押せば、方向ボタン４２０は前後方向、左右方向または対角線方向の一地点に移動し、スマートフォンの表面一地点に方向信号が伝達できる。すなわち、人体の微細電流が伝導性の方向ボタン４２０、離隔支持部４３０及び方向転換パッド４４０を通じてボタン入力信号として作用することになり、最終にスマートフォンの表面一地点に方向信号として提供される。また、方向ボタン４２０の移動程度によって方向転換パッド４４０の移動程度も変わり、この時にスマートフォンの表面での移動量が強度信号として提供される。
【００６３】
離隔支持部４３０は方向ボタン４２０の下面の中心部から下側に伸びる柱状に形成され、方向ボタン４２０をスマートフォンの表面から離隔させる。離隔支持部４３０も伝導性素材から形成される。
【００６４】
方向転換パッド４４０は離隔支持部４３０の下端に連結されてスマートフォンの表面に接触し、方向ボタン４２０の移動に連動してスマートフォンの表面上で移動する。方向転換パッド４４０も伝導性素材から形成される。さらに、方向転換パッド４４０は、方向イメージを表示するスマートフォンの表面を外部に露出させることができるように透明素材から形成できる。すなわち、ゲーム時の方向操作に対する視覚効果を向上させることができる。
【００６５】
ボタン復元部４５０は方向転換パッド４４０の側面に備えられ、弾性素材から形成され、方向ボタン４２０が移動した場合、スマートフォンケース４１０の貫通孔４１１の中心に復元させる。具体的に、図１０及び図１１を参照すれば、ボタン復元部４５０は、一端が方向転換パッド４４０の側面に沿って形成され、他端がスマートフォンケース４１０の貫通孔４１１の側面に沿って形成されることで、方向転換パッド４４０の移動を弾性力で支持することが可能である。
【００６６】
すなわち、図１１のように外力が作用して移動する場合、ボタン復元部４５０の一側と他側が一地点方向に膨脹して伸びた状態を成し、方向転換パッド４４０の移動した状態を支持し、方向ボタン４２０のスマートフォンケース４１０からの離脱を防止する。そして、図１０のように外力が解除されて正常状態に復帰するために、ボタン復元部４５０の一側と他側は弾性力によってまた収縮する作用をし、方向転換パッド４４０と一緒に復元される。ここで、ボタン復元部４５０は非伝導性素材から形成される。
【００６７】
このような構成により、本発明の第４実施例によるスマートフォン用ゲームコントローラー兼用ケースは、方向ボタン４２０の上面において前後方向、左右方向または対角線方向の一地点に外力によって押圧される場合、方向転換パッド４４０が該当の方向に移動し、スマートフォンの表面一地点に対する方向信号及び強度信号を提供することができる。すなわち、離隔支持部４３０が上下方向に方向ボタン４２０と方向転換パッド４４０を支持し、作動方式は、図１１のように指でボタンを押す場合、指の微細な電気が方向ボタン４２０、離隔支持部４３０及び方向転換パッド４４０を通じてスマートフォンの表面タッチパネルに伝達されてゲーム中のキャラクターの方向を処理することになる。この際、指で特定方向を選択する場合、方向転換パッド４４０が当たり前一地点にだけ移動するから、誤って他の方向を選択することになることを根本的に防止することができる。
【００６８】
このように、本発明の第４実施例によるスマートフォン用ゲームコントローラー兼用ケースは、ゲーム時にはゲームパッドとして使うことができ、普段には携帯の簡便なスマートフォンケースとして活用することができ、物理的ボタンを備えてスマートフォンケース表面に対して段差を持つので、スマートフォン用モバイルゲームの操作感を向上させることができる利点がある。
【００６９】
また、本発明の第４実施例によるスマートフォン用ゲームコントローラー兼用ケースは、信号を処理する部分がスマートフォンのタッチスクリーンとアプリケーションプログラムからなっている点に着眼し、対角線方向を直接処理することができる利点がある。
【００７０】
すなわち、従来のゲームパッドは、方向キーボタンが上下左右に四つだけ存在し、対角線方向は隣り合う二つのボタンの組合せで処理するが、本発明の第４実施例においてはスマートフォンのプログラムで処理するので、前後方向、左右方向及び対角線方向の８方向を自由に処理することができ、ひいては対角線方向の場合も多様な角度に微細にコントロールすることができる。
【００７１】
また、本発明の第４実施例によるスマートフォン用ゲームコントローラー兼用ケースは、ゲーム中の方向ボタン操作の際、移動方向に対する移動程度によって方向転換の強度をコントロールすることができる利点がある。
【００７２】
＜第５実施例＞
図１２及び図１３は本発明の第５実施例によるスマートフォン用ゲームコントローラー兼用ケースを説明する図である。具体的に、図１２は本発明の第５実施例によるスマートフォン用ゲームコントローラー兼用ケースの方向ボタンを示した断面図、図１３は本発明の第５実施例によるスマートフォン用ゲームコントローラー兼用ケースの方向ボタンの動作状態を示した断面図である。
【００７３】
図１２及び図１３に示したように、本発明の第５実施例によるスマートフォン用ゲームコントローラー兼用ケースは、スマートフォンケース５１０、方向ボタン５２０、離隔支持部５３０、方向転換パッド５４０、及びボタン復元部５５０を含む。
【００７４】
ここで、本発明の第５実施例によるスマートフォン用ゲームコントローラー兼用ケースのスマートフォンケース５１０、方向ボタン５２０、離隔支持部５３０及び方向転換パッド５４０は、本発明の第４実施例によるスマートフォン用ゲームコントローラー兼用ケースのスマートフォンケース４１０、方向ボタン４２０、離隔支持部４３０及び方向転換パッド４４０と同一または類似の構造及び動作特性を持つので、これについてのより詳細な説明は図１０及び図１１に基づく本発明の第４実施例を参照し、以下ではその説明を省略する。
【００７５】
図１２及び図１３に基づいてボタン復元部５５０の実質的な構造及び動作特性をより詳細に説明すれば次のようである。
【００７６】
本発明の第５実施例によるボタン復元部５５０は、一端が離隔支持部５３０の側面に沿って形成され、他端がスマートフォンケース５１０の貫通孔５１１の側面に沿って形成され、方向転換パッド５４０の移動を弾性力で支持することができる。
【００７７】
すなわち、図１３のように外力が作用して移動する場合、ボタン復元部５５０の一側は収縮し、他側は膨脹した状態を成し、移動した状態を支持し、方向ボタン５２０のスマートフォンケース５１０からの離脱を防止する。そして、図１２のように外力が解除されて正常状態に復帰するために、ボタン復元部５５０の一側は弾性力によってまた膨脹し、他側は弾性力によってまた収縮する作用をする。
【００７８】
これにより、方向転換パッド５４０がスマートフォンの表面一地点に直接接触した状態で、人体の微細電流が伝導性の方向ボタン５２０を通じてボタン入力信号として作用することになり、スマートフォンの表面一地点に直接方向信号として提供される。
【００７９】
このような構成により、本発明の第５実施例によるスマートフォン用ゲームコントローラー兼用ケースは、方向ボタン５２０の上面において前後方向、左右方向または対角線方向の一地点に外力によって押圧される場合、方向転換パッド５４０が該当の方向に移動してスマートフォンの表面一地点に対する方向信号及び強度信号を提供することができる。すなわち、離隔支持部５３０が上下方向に方向ボタン５２０と方向転換パッド５４０を支持し、作動方式は、図１３のように指でボタンを押す場合に指の微細な電気が方向ボタン５２０、離隔支持部５３０及び方向転換パッド５４０を通じてスマートフォンの表面タッチパネルに伝達されてゲーム中のキャラクターの方向を処理することになる。この際、指で特定方向を選択する場合、方向転換パッド５４０が当たり前一地点にだけ移動するから、誤って他の方向を選択することになることを根本的に防止することができる。また、方向ボタン５２０の移動程度によって方向転換パッド５４０の移動程度も変わり、この際、スマートフォンの表面での移動量が強度信号として提供される。
【００８０】
このように、本発明の第５実施例によるスマートフォン用ゲームコントローラー兼用ケースは、ゲーム時にはゲームパッドとして使うことができ、普段には携帯の簡便なスマートフォンケースとして活用することができ、物理的ボタンを備えてスマートフォンケース表面に対して段差を持つので、スマートフォン用モバイルゲームの操作感を向上させることができる利点がある。
【００８１】
また、本発明の第５実施例によるスマートフォン用ゲームコントローラー兼用ケースは、信号を処理する部分がスマートフォンのタッチスクリーンとアプリケーションプログラムからなっている点に着眼し、対角線方向を直接処理することができる利点がある。
【００８２】
すなわち、従来のゲームパッドは、方向キーボタンが上下左右に四つだけ存在し、対角線方向は隣り合う二つのボタンの組合せで処理するが、本発明の第５実施例においてはスマートフォンのプログラムで処理するので、前後方向、左右方向及び対角線方向の８方向を自由に処理することができ、ひいては対角線方向の場合も多様な角度に微細にコントロールすることができる。
【００８３】
また、本発明の第５実施例によるスマートフォン用ゲームコントローラー兼用ケースは、ゲーム中の方向ボタン操作の際、移動方向に対する移動程度によって方向転換の強度をコントロールすることができる利点がある。
【００８４】
＜第６実施例＞
図１４〜図１７は本発明の第６実施例によるスマートフォン用ゲームコントローラー兼用ケースを説明する図である。具体的に、図１４は本発明の第６実施例によるスマートフォン用ゲームコントローラー兼用ケースの方向ボタンを示した平面図及び断面図、図１５は本発明の第６実施例によるスマートフォン用ゲームコントローラー兼用ケースの方向ボタンの動作状態を示した平面図及び断面図、図１６は本発明の第６実施例によるスマートフォン用ゲームコントローラー兼用ケースの他の方向ボタンを示した平面図及び断面図、図１７は本発明の第６実施例によるスマートフォン用ゲームコントローラー兼用ケースの他の方向ボタンの動作状態を示した平面図及び断面図である。
【００８５】
図１４〜図１７に示したように、本発明の第６実施例によるスマートフォン用ゲームコントローラー兼用ケースは、スマートフォンケース６１０、方向ボタン６２０、離隔支持部６３０、方向転換パッド６４０、及びボタン復元部６５０を含む。
【００８６】
ここで、本発明の第６実施例によるスマートフォン用ゲームコントローラー兼用ケースのスマートフォンケース６１０、方向ボタン６２０、離隔支持部６３０及び方向転換パッド６４０は、本発明の第４実施例によるスマートフォン用ゲームコントローラー兼用ケースのスマートフォンケース４１０、方向ボタン４２０、離隔支持部４３０及び方向転換パッド４４０と同一または類似の構造及び動作特性を持つので、これについてのより詳細な説明は図１０及び図１１に基づく本発明の第４実施例を参照し、以下ではその説明を省略する。
【００８７】
図１４〜図１７に基づいてボタン復元部６５０の実質的な構造及び動作特性をより詳細に説明すれば次のようである。
【００８８】
本発明の第６実施例によるボタン復元部６５０は、離隔支持部６３０と方向転換パッド６４０の側面を取り囲むように環状のスプリング６５０ａまたは輪ゴム６５０ｂのいずれか弾性素材から形成され、スマートフォンケース６１０の貫通孔６１１には下方に折り曲げられる固定突起６１２を備え、スプリング６５０ａまたは輪ゴム６５０ｂのボタン復元部６５０を貫通孔６１１の中央に固定させることで、方向転換パッド６４０の移動を弾性力で支持することができる。
【００８９】
すなわち、図１５及び図１７のように外力が作用して移動する場合、環状のスプリング６５０ａまたは輪ゴム６５０ｂからなるボタン復元部６５０が、一側は固定突起６１２にかかって固定され、他側は膨脹した状態を成し、移動した状態を支持し、方向ボタン６２０のスマートフォンケース６１０からの離脱を防止する。そして、図１４及び図１６のように外力が解除されて正常状態に復帰するために、ボタン復元部６５０の一側が固定突起６１２にかかって固定された状態で、他側が弾性力によってまた収縮する作用をする。
【００９０】
このような構成により、本発明の第６実施例によるスマートフォン用ゲームコントローラー兼用ケースは、方向ボタン６２０の上面において前後方向、左右方向または対角線方向の一地点に外力によって押圧される場合、方向転換パッド６４０が該当の方向に移動し、スマートフォンの表面一地点に対する方向信号及び強度信号を提供することができる。すなわち、離隔支持部６３０が上下方向に方向ボタン６２０と方向転換パッド６４０を支持し、作動方式は、図１５及び図１７のように指でボタンを押す場合に指の微細な電気が方向ボタン６２０、離隔支持部６３０及び方向転換パッド６４０を通じてスマートフォンの表面タッチパネルに伝達されてゲーム中のキャラクターの方向を処理することになる。この際、指で特定方向を選択する場合、方向転換パッド６４０が当たり前一地点にだけ移動するから、誤って他の方向を選択することになることを根本的に防止することができる。また、方向ボタン６２０の移動程度によって方向転換パッド６４０の移動程度も変わり、この際、スマートフォンの表面での移動量が強度信号として提供される。
【００９１】
このように、本発明の第６実施例によるスマートフォン用ゲームコントローラー兼用ケースは、ゲーム時にはゲームパッドとして使うことができ、普段には携帯の簡便なスマートフォンケースとして活用することができ、物理的ボタンを備えてスマートフォンケース表面に対して段差を持つので、スマートフォン用モバイルゲームの操作感を向上させることができる利点がある。
【００９２】
また、本発明の第６実施例によるスマートフォン用ゲームコントローラー兼用ケースは、信号を処理する部分がスマートフォンのタッチスクリーンとアプリケーションプログラムからなっている点に着眼し、対角線方向を直接処理することができる利点がある。
【００９３】
すなわち、従来のゲームパッドは、方向キーボタンが上下左右に四つだけ存在し、対角線方向は隣り合う二つのボタンの組合せで処理するが、本発明の第２実施例においてはスマートフォンのプログラムで処理するので、前後方向、左右方向及び対角線方向の８方向を自由に処理することができ、ひいては対角線方向の場合も多様な角度に微細にコントロールすることができる。
【００９４】
また、本発明の第６実施例によるスマートフォン用ゲームコントローラー兼用ケースは、ゲーム中の方向ボタン操作の際、移動方向に対する移動程度によって方向転換の強度をコントロールすることができる利点がある。
【００９５】
＜第７実施例＞
図１８は本発明の第７実施例によるスマートフォン用ゲームコントローラー兼用ケースの方向ボタンを示した斜視図及び平面図である。
【００９６】
図１７に示したように、本発明は、円形の方向ボタン４２０、５２０、６２０、７２０だけでなく、楕円形、四角形、六角形などの多様な形状の方向ボタンを備えることができ、ひいては十字形の方向ボタン７２５を使うこともできる。すなわち、方向ボタンがスマートフォンケースの貫通孔上で自由に移動する構造によって方向信号を直ちに伝達するので、方向ボタンを指で押して前後方向、左右方向または対角線方向に移動させることができる構造であれば、どんな形状でもかまわない。
【００９７】
＜第８実施例＞
図１９は本発明の第８実施例によるスマートフォン用ゲームコントローラー兼用ケースを示した斜視図である。
【００９８】
図１９に示したように、本発明の第８実施例によるスマートフォンケース８１０は、前面に方向ボタン８２０と、方向ボタン８２０に隣り合って備えられる選択ボタン８６０とが設けられ、前面が回動可能なフリップカバー状に形成できる。すなわち、前面を単純に開くとか閉める構成によってスマートフォン用ゲームコントローラー兼用ケースを容易にゲームパッドとして使うことができる。
【００９９】
これに加え、本発明の第８実施例によるスマートフォンケース８１０の前面には、ゲーム時にスマートフォンの画面を露出させるためのゲーム表示窓８１３をさらに備えることができる。すなわち、図１９はスマートフォン自体をゲーム機として使用する場合を示したもので、この場合は別途のゲーム表示窓８１３がさらに形成される。
【０１００】
一方、スマートフォンをＴＶなどの他のディスプレイ装置に連結してゲームパッドとして使用する場合には、図２０及び図２１に示した他の実施例を参照し、別途のゲーム表示窓が備えられていないフリップカバー状に製造してもかまわない。この場合には、方向ボタン及び選択ボタンのサイズを大きく形成することができるので、操作感がより一層向上する。
【０１０１】
このように、前述した本発明の技術的構成は本発明が属する技術分野の当業者が本発明のその技術的思想や必須特徴を変更しなくても他の具体的な形態に実施することができるというのが理解可能であろう。
【０１０２】
したがって、以上に開示した実施例はすべての面で例示的なもので限定的なものではないものとして理解されなければならなく、本発明の範囲は前記詳細な説明よりは後述する特許請求範囲によって決定され、特許請求範囲の意味及び範囲、かつその等価の概念から導出されるすべての変更または変形の形態は本発明の範囲に含まれるものに解釈されなければならない。
【産業上の利用可能性】
【０１０３】
本発明は、ゲーム時に物理的ボタンを提供してゲーム操作感を向上させるスマートフォン用ゲームコントローラー兼用ケースに適用可能である。
【符号の説明】
【０１０４】
１１０、２１０、４１０、５１０、６１０、８１０    スマートフォンケース
１１１、２１１、４１１、５１１、６１１    貫通孔
１１２    画面表示窓
１１３、８１３    ゲーム表示窓
１２０、２２０、３２０、３２５、４２０、５２０、６２０、７２０、７２５、８２０    方向ボタン
１３０、２３０    方向転換支持部
１４０、２４０    ボタン復元パッド
１５０、８６０    選択ボタン
４３０、５３０、６３０    離隔支持部
４４０、５４０、６４０    方向転換パッド
４５０、５５０、６５０    ボタン復元部
６１２    固定突起
６５０ａ    スプリング
６５０ｂ    輪ゴム
【図１】
0006005112.tif 000002
【図２】
0006005112.tif 000003
【図３】
0006005112.tif 000004
【図４】
0006005112.tif 000005
【図５】
0006005112.tif 000006
【図６】
0006005112.tif 000007
【図７】
0006005112.tif 000008
【図８】
0006005112.tif 000009
【図９】
0006005112.tif 000010
【図１０】
0006005112.tif 000011
【図１１】
0006005112.tif 000012
【図１２】
0006005112.tif 000013
【図１３】
0006005112.tif 000014
【図１４】
0006005112.tif 000015
【図１５】
0006005112.tif 000016
【図１６】
0006005112.tif 000017
【図１７】
0006005112.tif 000018
【図１８】
0006005112.tif 000019
【図１９】
0006005112.tif 000020
【図２０】
0006005112.tif 000021
【図２１】
0006005112.tif 000022